(57)【要約】【課題】加飾容器に既存のオルゴールムーブメントを簡単な組み込み操作でがたつき無く組み込み、オルゴール装置とする。【解決手段】オルゴール装置１Ａが、加飾容器１０Ａ、シリンダーオルゴールのオルゴールムーブメント２０Ａ、オルゴールムーブメント２０Ａを加飾容器１０Ａの内部に取り付けるための取り付けパーツ３０を備える。取り付けパーツ３０は、オルゴールムーブメント２０Ａが嵌入するオルゴールムーブメント嵌入部３１を有すると共に、加飾容器１０Ａの内部に嵌合する外形を有し、取り付けパーツ３０の内周面又は外周面にがたつき防止用リブ４１、４２、４２ａ、４２ｂ、４２ｃを有する。あるいは、加飾容器１０Ｂとして、底部に貫通孔１１を有する元化粧料容器を使用し、貫通孔１１に挿入された固定具で加飾容器１０Ｂとオルゴールムーブメント２０Ａ、２０Ｂを固定する。【選択図】図１Ｂ
2020183987.tif 000002
【特許請求の範囲】
【請求項１】
加飾容器、シリンダーオルゴールのオルゴールムーブメント、オルゴールムーブメントを加飾容器の内部に取り付けるための取り付けパーツを備えたオルゴール装置であって、取り付けパーツは、オルゴールムーブメントが嵌入するオルゴールムーブメント嵌入部を有すると共に、加飾容器の内部に嵌合する外形を有し、取り付けパーツの内周面又は外周面にがたつき防止用リブを有するオルゴール装置。
【請求項２】
加飾容器が、元化粧料容器である請求項１記載のオルゴール装置。
【請求項３】
加飾容器の底部に貫通孔があり、該貫通孔に嵌入する突出部が取り付けパーツの下面に設けられている請求項１又は２に記載のオルゴール装置。
【請求項４】
取り付けパーツが加飾容器に取り付けられた状態において、取り付けパーツは、取り付けパーツの上部と加飾容器の内周壁との間に、取り付けパーツを摘まむことを可能とする間隙を形成する上部幅狭部と、取り付けパーツを加飾容器に嵌合させる上部フランジを有する請求項１〜３のいずれかに記載のオルゴール装置。
【請求項５】
取り付けパーツが、加飾容器に取り付けたオルゴールムーブメントの底面を加飾容器に接触させる開口部と、取り付けパーツを加飾容器に嵌合させる下部フランジを有する請求項１〜４のいずれかに記載のオルゴール装置。
【請求項６】
取り付けパーツの外周面に、加飾容器と取り付けパーツとのがたつきを防止するがたつき防止用リブが形成されている請求項１〜５のいずれかに記載のオルゴール装置。
【請求項７】
取り付けパーツの内周面に、オルゴールムーブメントと取り付けパーツとのがたつきを防止するがたつき防止用リブが形成されている請求項１〜６のいずれかに記載のオルゴール装置。
【請求項８】
オルゴールムーブメントのフレームにネジ穴があり、取り付けパーツが該ネジ穴に嵌入する突出部を有する請求項１〜７のいずれかに記載のオルゴール装置。
【請求項９】
取り付けパーツの周壁に、オルゴールムーブメントの圧入用スリットが設けられている請求項１〜８のいずれかに記載のオルゴール装置。
【請求項１０】
加飾容器とシリンダーオルゴールのオルゴールムーブメントを有するオルゴール装置であって、加飾容器は底部に貫通孔を有する元化粧料容器であり、該貫通孔に挿入された固定具で加飾容器とオルゴールムーブメントが固定されているオルゴール装置。
【請求項１１】
加飾容器とシリンダーオルゴールのオルゴールムーブメントを有するオルゴール装置であって、加飾容器は底部に貫通孔を有する元化粧料容器であり、オルゴールムーブメントは底面から巻ネジの軸部が突出し、該軸部が加飾容器の底部の貫通孔に挿入され、摘みナットが加飾容器の外側から該軸部に螺合するオルゴール装置。
【請求項１２】
摘みナットが、一端にネジ軸に垂直な平板部を有する筒型ナットであり、平板部と加飾容器の底面との間に隙間を有する請求項１１記載のオルゴール装置。
【請求項１３】
オルゴールムーブメントを加飾容器の内部に取り付けるための取り付けパーツであって、該取り付けパーツは、オルゴールムーブメントが嵌入するオルゴールムーブメント嵌入部を有すると共に、加飾容器の内部に嵌合する外形を有し、取り付けパーツの内周面又は外周面にがたつき防止用リブを有する取り付けパーツ。
【請求項１４】
底部に貫通孔を有する元化粧料容器の加飾容器であって、加飾容器の内部にシリンダーオルゴールのオルゴールムーブメントを組み込めるように、底部の貫通孔の位置に穴加工が施されている加飾容器。
【請求項１５】
加飾容器として元化粧料容器を使用し、元化粧料容器の内部にシリンダーオルゴールのオルゴールムーブメントを組み込んでオルゴール装置とする元化粧料容器の再利用方法であって、オルゴールムーブメントを元化粧料容器の内部に組み込むために取り付けパーツを使用し、該取り付けパーツは、元化粧料容器の内部に嵌合する外形を有する元化粧料容器の再利用方法。
【請求項１６】
取り付けパーツは、オルゴールムーブメントが嵌入するオルゴールムーブメント嵌入部を有し、取り付けパーツの内周面又は外周面にがたつき防止用リブを有する請求項１５記載の元化粧料容器の再利用方法。
【請求項１７】
加飾容器として元化粧料容器を使用し、元化粧料容器の内部にシリンダーオルゴールのオルゴールムーブメントを組み込んでオルゴール装置とする元化粧料容器の再利用方法であって、元化粧料容器として底部に貫通孔を有するものを使用し、オルゴールムーブメントとしてネジ穴を有する既製のオルゴールムーブメントを使用し、元化粧料容器の貫通孔とオルゴールムーブメントのネジ穴とを合わせて元化粧料容器とオルゴールムーブメントとを固定具で固定する元化粧料容器の再利用方法。
【請求項１８】
加飾容器として元化粧料容器を使用し、元化粧料容器の内部にシリンダーオルゴールのオルゴールムーブメントを組み込んでオルゴール装置とする元化粧料容器の再利用方法であって、元化粧料容器として底部に貫通孔を有するものを使用し、オルゴールムーブメントとして、その底面から巻ネジの軸部が突出したオルゴールムーブメントを使用し、元化粧料容器の貫通孔に、オルゴールムーブメントの巻ネジの軸部が挿入されるように元化粧料容器にオルゴールムーブメントを載置し、元化粧料容器の外側から巻ネジの軸部に摘みナットを螺合させる元化粧料容器の再利用方法。
【発明の詳細な説明】
【技術分野】
【０００１】
本発明は、加飾容器を用いたオルゴール装置に関する。
【背景技術】
【０００２】
化粧料、装飾品、菓子等の内容物の容器として加飾容器が使用されている。加飾容器は容器としての役目を終えると、捨てられることが多い。しかしながら、加飾容器の中には、デザインや装飾などにより容器自体として価値のあるものや、加飾容器の所持者の思い出に絡むものや、記念品として意味を持つものなどがあり、このような加飾容器は内容物が使用されて空き容器になっても保管され続けることもある。
【０００３】
一方、宝石箱などにシリンダーオルゴールのオルゴールムーブメントを組み込んだ、高級感のあるオルゴール装置が販売されている。このようなオルゴール装置において、オルゴールムーブメントを宝石箱に簡単に装着できるように、オルゴールムーブメントをアルミ材の有底ケースにネジ止めし、その有底ケースを宝石箱内の所定の収納室に載置することが提案されている（特許文献１）。
【先行技術文献】
【特許文献】
【０００４】
【特許文献１】実開平５−１７６９３号公報
【発明の概要】
【発明が解決しようとする課題】
【０００５】
本来の内容物が使用されて空き容器になった加飾容器にシリンダーオルゴールのオルゴールムーブメントを組み込むことができると、デザインや装飾に優れた空き容器をオルゴール装置として再利用できるというリサイクルの点からも、思い出の品や記念品として保管されていた空き容器にオルゴール装置という新たな価値を付与できる点でも好ましく、さらには、このようなオルゴール装置は、例えば、親の思い出の品を子や孫へ贈るという世代を繋ぐプレゼントとしても有用となる。
【０００６】
しかしながら、もともとオルゴール装置で使用されることが予定されていない加飾容器にシリンダーオルゴールのオルゴールムーブメントを、素人でも容易に行える組み込み操作で、がたつき無く、美しく組み込むことは容易でない。即ち、このような加飾容器には、シリンダーオルゴールのオルゴールムーブメントをがたつき無く載置することを可能とするオルゴールムーブメントの収納室が形成されているわけではないので、加飾容器にオルゴールムーブメントをがたつき無く固定する方法としては、接着剤の使用が考えられる。しかしながら、接着剤のみでオルゴールムーブメントを加飾容器に固定しようとすると、接着剤のはみ出しや、取付位置のずれによって露出した接着剤が美観を損い、また接着剤のべたつきが新たな汚れを付着させるという問題があり、さらに、接着剤は経年劣化により固定が不完全になりやすいという問題もある。
【０００７】
また、既製のオルゴールムーブメントには、一般に、該オルゴールムーブメントを任意の取り付け部材に固定できるように、固定用ネジ穴が複数設けられているので、このネジ穴を利用して加飾容器とオルゴールムーブメントをネジ固定することが考えられる。しかしながら、もともとオルゴール装置として使用されることが予定されていない加飾容器にはそのようなネジ穴が設けられていない。そのため、新たにネジ穴を開けることが必要となるが、一般人が加飾容器にネジ穴を開けるには、そのための道具から用意しなくてはならず、さらにそのような道具があったとしても、加飾容器に割れやヒビがはいる場合がある。
【０００８】
このような問題に対し、本発明は、本来の内容物が使用されて空き容器になった加飾容器に、既存のオルゴールムーブメントを、簡単な組み込み操作でがたつき無く組み込みこめるようにしたオルゴール装置の提供を課題とする。
【課題を解決するための手段】
【０００９】
本発明者は、オルゴールムーブメントを嵌入させることができると共に加飾容器に嵌合させることのできる取り付けパーツを使用し、かつ、この取り付けパーツにがたつき防止用リブを設けることで、簡単にオルゴールムーブメントを加飾容器に組み込めること、また、加飾容器として、底部に貫通孔を有する元化粧料容器を使用すると、底部の貫通孔に固定具を挿入することによりオルゴールムーブメントを加飾容器に固定できることを想到し、本発明を完成させた。
【００１０】
即ち、第１の本発明は、加飾容器、シリンダーオルゴールのオルゴールムーブメント、オルゴールムーブメントを加飾容器の内部に取り付けるための取り付けパーツを備えたオルゴール装置であって、取り付けパーツは、オルゴールムーブメントが嵌入するオルゴールムーブメント嵌入部を有すると共に、加飾容器の内部に嵌合する外形を有し、取り付けパーツの内周面又は外周面にがたつき防止用リブを有するオルゴール装置である。
【００１１】
第２の本発明は、加飾容器とシリンダーオルゴールのオルゴールムーブメントを有するオルゴール装置であって、加飾容器は底部に貫通孔を有する元化粧料容器であり、該貫通孔に挿入された固定具で加飾容器とオルゴールムーブメントが固定されているオルゴール装置である。
【００１２】
第３の本発明は、加飾容器とシリンダーオルゴールのオルゴールムーブメントを有するオルゴール装置であって、加飾容器は底部に貫通孔を有する元化粧料容器であり、オルゴールムーブメントは底面から巻ネジの軸部が突出し、該軸部が加飾容器の底部の貫通孔に挿入され、摘みナットが加飾容器の外側から該軸部に螺合するオルゴール装置である。
【００１３】
第４の本発明は、第１の本発明のオルゴール装置で使用する取り付けパーツであって、該取り付けパーツは、オルゴールムーブメントが嵌入するオルゴールムーブメント嵌入部を有すると共に、加飾容器の内部に嵌合する外形を有し、取り付けパーツの周面にがたつき防止用リブを有する取り付けパーツである。
【００１４】
第５の本発明は、第２の本発明のオルゴール装置で使用する、底部に貫通孔を有する元化粧料容器の加飾容器であって、加飾容器の内部にシリンダーオルゴールのオルゴールムーブメントを組み込めるように、底部の貫通孔の位置に穴加工が施されている加飾容器である。
【００１５】
第６の本発明は、加飾容器として元化粧料容器を使用し、元化粧料容器の内部にシリンダーオルゴールのオルゴールムーブメントを組み込んでオルゴール装置とする元化粧料容器の再利用方法であって、オルゴールムーブメントを元化粧料容器の内部に組み込むために取り付けパーツを使用し、該取り付けパーツは、元化粧料容器の内部に嵌合する外形を有する元化粧料容器の再利用方法である。
【００１６】
第７の本発明は、加飾容器として元化粧料容器を使用し、元化粧料容器の内部にシリンダーオルゴールのオルゴールムーブメントを組み込んでオルゴール装置とする元化粧料容器の再利用方法であって、元化粧料容器として底部に貫通孔を有するものを使用し、オルゴールムーブメントとしてネジ穴を有する既製のオルゴールムーブメントを使用し、元化粧料容器の貫通孔とオルゴールムーブメントのネジ穴とを合わせて元化粧料容器とオルゴールムーブメントとを固定具で固定する元化粧料容器の再利用方法である。
【００１７】
第８の本発明は、加飾容器として元化粧料容器を使用し、元化粧料容器の内部にシリンダーオルゴールのオルゴールムーブメントを組み込んでオルゴール装置とする元化粧料容器の再利用方法であって、元化粧料容器として底部に貫通孔を有するものを使用し、オルゴールムーブメントとして、その底面から巻ネジの軸部が突出したオルゴールムーブメントを使用し、元化粧料容器の貫通孔に、オルゴールムーブメントの巻ネジの軸部が挿入されるように元化粧料容器にオルゴールムーブメントを載置し、元化粧料容器の外側から巻ネジの軸部に摘みナットを螺合させる元化粧料容器の再利用方法を提供する。
【発明の効果】
【００１８】
本発明のオルゴール装置は、元化粧料容器等の、本来の内容物が使用されて空き容器になった加飾容器と、シリンダーオルゴールのオルゴールムーブメントを用いて、簡単な組み込み操作で作製できる。
【００１９】
特に、がたつき防止用リブを有する取り付けパーツを使用する本発明のオルゴール装置では、ネジや接着剤を使用しなくても、がたつきなくオルゴールムーブメントを加飾容器に固定することができる。
【００２０】
また、加飾容器として元化粧料容器を使用する本発明のオルゴール装置では、元化粧料容器の内部に嵌合する外形を有する取り付けパーツを使用することにより、又は元化粧料容器としてその底部に貫通孔を有するものを使用し、該貫通孔を利用してオルゴールムーブメントを取り付けることにより、簡単な取り付け操作で元化粧料容器にオルゴールムーブメントを組み込むことができる。
【００２１】
さらに、これらのオルゴール装置では、オルゴールムーブメントとして、既製のオルゴールムーブメントをそのまま使用することができる。したがって、本発明によれば、従前は廃棄または単に保管されていた加飾容器に、容易に入手できるオルゴールムーブメントを用いてオルゴール装置としての価値を付与し、元化粧料容器等の空き容器を再利用することが可能となる。また、このオルゴール装置は、外観が加飾容器であるため贈り物として適したものとなり、例えば、親が愛用していたり、思い入れがあったりする加飾容器を子や孫に贈るという、世代を繋ぐプレゼントとしても有用となる。
【図面の簡単な説明】
【００２２】
【図１Ａ】図１Ａは、実施例のオルゴール装置１Ａの組み立て方法の説明図である。
【図１Ｂ】図１Ｂは、実施例のオルゴール装置１Ａの組み立て方法の説明図である。
【図２Ａ】図２Ａは、実施例のオルゴール装置１Ａの蓋が開いた状態の斜視図である。
【図２Ｂ】図２Ｂは、実施例のオルゴール装置１Ａの蓋が閉じた状態の斜視図である。
【図３Ａ】図３Ａは、実施例のオルゴール装置１Ａに使用する取り付けパーツの上面側の斜視図である。
【図３Ｂ】図３Ｂは、実施例のオルゴール装置１Ａに使用する取り付けパーツの下面側の斜視図である。
【図４】図４は、実施例のオルゴール装置１Ｂの組み立て方法の説明図である。
【図５】図５は、下ネジタイプのオルゴールムーブメントの斜視図及び側面図である。
【図６】図６は、下ネジタイプのオルゴールムーブメントの巻ネジの軸に螺合させる筒型ナットの側面図及び上面図である。
【図７】図７は、実施例のオルゴール装置１Ｃの組み立て方法の説明図である。
【図８Ａ】図８Ａは、実施例のオルゴール装置１Ｃを下面側の斜視図である。
【図８Ｂ】図８Ｂは、実施例のオルゴール装置１Ｃの側面図である。
【図９】図９は、実施例のオルゴール装置１Ｄの側面図である。
【発明を実施するための形態】
【００２３】
以下、図面を参照しつつ本発明を詳細に説明する。なお、各図において同一符号は同一又は同等の構成要素を表している。
【００２４】
＜取り付けパーツを必須とするオルゴール装置＞
本発明のオルゴール装置は、オルゴールムーブメントを加飾容器に取り付けるために取り付けパーツを必須とするものと、取り付けパーツが不要のものに大別される。
【００２５】
図１Ａ及び図１Ｂは、取り付けパーツを必須とする一実施例のオルゴール装置１Ａの組み立て方法の説明図であり、図２Ａは組み立て後のオルゴール装置１Ａの蓋１６が開いた状態の斜視図であり、図２Ｂはそのオルゴール装置の蓋１６が閉じた状態の斜視図である。
【００２６】
この実施例のオルゴール装置１Ａは、加飾容器１０Ａ、シリンダーオルゴールのオルゴールムーブメント２０Ａ、オルゴールムーブメント２０Ａを加飾容器１０Ａの内部に取り付けるための取り付けパーツ３０を備えている。
【００２７】
（加飾容器）
本発明において加飾容器とは、美しさを有する容器であり、外形、色、模様、飾りなどは任意である。本発明の加飾容器は、好ましくは内容物が収容されていた容器の二次利用である。加飾容器としては、例えば、当初は化粧料の容器として使用されていた元化粧料容器をあげることができる。菓子、装飾品等の容器として使用されていたものでもよい。
【００２８】
加飾容器の形成材料には特に制限はなく、プラスチック、木材、金属等をあげることができる。
【００２９】
また、加飾容器としては、シリンダーオルゴールのオルゴールムーブメントを収容できる開口面積や深さを有する容器を使用する。したがって、加飾容器としては、内部の深さが１５ｍｍ以上が好ましく、２５ｍｍ以上ある容器がより好ましく、元化粧料容器としては、コンパクトタイプの容器、ジャータイプの容器等をあげることができる。
【００３０】
図１Ｂに示すように、本実施例のオルゴール装置１Ａでは、加飾容器１０Ａとしてコンパクトタイプの元化粧料容器を使用している。この元化粧料容器は、容器本体１５に化粧料のレフィルが貼着されるタイプのもので、容器本体１５には蓋１６がヒンジで取り付けられている。なお、容器本体１５はレフィルが嵌め込まれるタイプのものでもよい。
【００３１】
加飾容器１０Ａの底部１７の隅部には化粧料のレフィルの取出孔又は空気孔として貫通孔１１が形成されている。このように貫通孔１１を有する元化粧料容器を加飾容器１０Ａとすると、底部１７の貫通孔１１を、取り付けパーツ３０の加飾容器１０Ａに対する位置合わせのため、取り付けパーツのがたつき防止のため、及びオルゴールムーブメントの容器本体に対する回り止め補強のために使用できるので好ましい。
【００３２】
なお、図１Ｂには、貫通孔１１として、１個のピン穴が設けられている例を示しているが、本発明において、加飾容器の底部の貫通孔は１個に限られず、複数設けられていても良い。また、貫通孔１１はピン穴に限られず、コインの挿入口のようなＩ型の孔でもよく、加飾容器の底部が広範囲に開口するものであってもよい。また、貫通孔１１を、後述する取り付けパーツ３０の取り付け用又は下ネジタイプのオルゴールムーブメント２０Ｂの巻ネジの軸２１の取り付け用に用いる場合には、がたつき防止又は回り止めの観点から、貫通孔１１が加飾容器の底部の中心から偏倚していることが好ましい。
【００３３】
（オルゴールムーブメント）
本発明では、オルゴールムーブメントとして、シリンダーオルゴールのオルゴールムーブメントを使用する。オルゴールの種類としては、シリンダーオルゴールの他にディスクオルゴール、ＩＣオルゴール等も知られているが、シリンダーオルゴールはディスクオルゴールに比べて小型化できる点で好ましく、ＩＣオルゴールに比して高級感がある点で好ましい。
【００３４】
シリンダーオルゴールの振動弁の数や巻ネジの突出方向等については特に制限はなく、加飾容器の形状等に応じて適宜選択できる。本実施例では、オルゴールムーブメント２０Ａとして、宝石箱等に一般的に使用されている、巻ネジの軸２１が上方に突出した上ネジタイプの既製のオルゴールムーブメントをそのまま使用している。一般に、シリンダーオルゴールは振動弁の弁数によって外形の大きさがかわるので、加飾容器に収容できるシリンダーオルゴールの大きさによって、振動弁の弁数を定めることが好ましい。本実施例では、１８弁のオルゴールムーブメント２０Ａを使用している。
【００３５】
オルゴールムーブメント２０Ａの巻ネジの軸２１には摘み２３が螺合する。また、このオルゴールムーブメント２０Ａは既製のものであるため、該オルゴールムーブメント２０Ａを宝石箱、おもちゃ箱などの一般的な取り付け対象物に取り付けるためのネジ穴２４がフレーム２５に設けられている。なお、図１Ａにおいて、符号２６は振動弁２２をはじくピン付きのシリンダーであり、符号２７はシリンダーを回転させる動力源となるゼンマイが収納されている香箱であり、符号２８はゼンマイの戻りの速度調整機構であるガバナであり、符号２９はシリンダー２６の回転を止めるストッパーである。本実施例のオルゴール装置１Ａでは、ストッパー２９は、蓋１６が開いているときにはシリンダー２６に対して作用せず、蓋１６が閉じることにより押し下げられ、シリンダー２６の回転を止める。なお、本発明で使用するオルゴールムーブメントにおいてストッパーは無くても良い。ストッパー２９が無い場合には、蓋１６の開閉にかかわらず、ゼンマイが巻戻るまでオルゴールムーブメントは音楽を奏でる。
【００３６】
（取り付けパーツ）
図３Ａは、図１Ａに示した取り付けパーツ３０を上面３５側から見た斜視図であり、図３Ｂは下面側から見た斜視図である。ここで、取り付けパーツ３０の上面３５は、図２Ａに示すように取り付けパーツ３０を加飾容器１０Ａに取り付けたときに、加飾容器１０Ａの蓋１６側に位置する面であり、オルゴールムーブメント２０Ａの上面（オルゴールムーブメント２０Ａにおいて、フレーム２５にシリンダー２６等が取り付けられている側の面）を覆う面でもある。また、取り付けパーツ３０の下面は、加飾容器１０Ａの底部１７側に位置する面である。
【００３７】
図３Ｂに示したように、取り付けパーツ３０は、オルゴールムーブメント２０Ａが嵌入するオルゴールムーブメント嵌入部３１を有すると共に、加飾容器１０Ａの内部に嵌合する外形を有している。より具体的には、取り付けパーツ３０は、その下面に、オルゴールムーブメント２０Ａを嵌入させる開口部３２を有する。したがって、オルゴールムーブメント２０Ａは取り付けパーツ３０の下面側から挿入され、オルゴールムーブメント嵌入部３１に嵌入させたオルゴールムーブメント２０Ａの下面は加飾容器１０Ａに接触することになる。これにより、取り付けパーツ３０を有底形状にした場合に比して、取り付けパーツ３０の底部の厚み分を薄くすることができるので、加飾容器１０Ａの内部の高さがオルゴールムーブメント２０Ａの高さに対して余裕がない場合にもオルゴールムーブメントを加飾容器に取り付けることが可能となる。
【００３８】
なお、加飾容器によっては、下面の中央部が大きく抜けるものがあるが、そのような加飾容器を使用する場合には、取り付けパーツの下面には開口部を設けず、上面に開口部を設け、上面の開口部からオルゴールムーブメントを嵌入させることが好ましい。
【００３９】
取り付けパーツ３０は、嵌入部３１を囲む周壁３３の下端部に、開口部３２から互いに反対方向に延設された一対の下部フランジ３４を有し、取り付けパーツ３０の下面の長手方向をなす一対の下部フランジ３４と周壁３３の下部フランジ３４側部分とが、加飾容器１０Ａの内壁１２に当接又は近接するように形成されている。
【００４０】
取り付けパーツ３０は、オルゴールムーブメント２０Ａの上面を覆う上面３５を有している。この取り付けパーツ３０の上面３５には、オルゴールムーブメント２０Ａの巻ネジの軸２１を突出させる軸孔３６と、ストッパー２９を突出させるストッパー孔３７が形成されている。
【００４１】
また、上面３５は周壁３３の形成位置から水平方向に突出した上部フランジ３８と、幅狭の上部幅狭部３９を有する。上部幅狭部３９の縁辺は周壁３３の上辺となっており、上面３５の長手方向をなす上部フランジ３８が加飾容器１０Ａの内壁１２に当接又は近接する。上面３５の長手方向をなす上部フランジの突出方向と、下面の長手方向をなす下部フランジ３４の突出方向は互いに交差しており、取り付けパーツ３０の周面全体を加飾容器１０Ａの内壁１２に当接させる場合に比して取り付けパーツ３０を軽量化しつつ取り付けパーツ３０のがたつきを防止することができる。
【００４２】
なお、本実施例の取り付けパーツ３０は、オルゴールムーブメント２０Ａの上面を覆う上面３５を有するが、本発明では取り付けパーツ３０を、上下両面に開口部を有する筒型にしても良い。また、取り付けパーツに嵌入させるオルゴールムーブメントの巻ネジがオルゴールムーブメントの側面から突出している場合には上部フランジ３８を省略してもよい。
【００４３】
取り付けパーツ３０が加飾容器１０Ａに取り付けられた状態において、取り付けパーツ３０の上部の上部幅狭部３９と加飾容器１０Ａの内壁１２との間には、取り付けパーツ３０を指で挟むことを可能とする間隙４０が形成される（図２Ａ）。これにより、オルゴールムーブメント２０Ａを取り付けパーツ３０に嵌入させた後、取り付けパーツ３０の上部幅狭部３９を指で摘んで取り付けパーツ３０を加飾容器１０Ａに嵌合させたり、加飾容器１０Ａから摘み出したりすることが容易となる。また、間隙４０を小物入れとして使用することが可能となる。
【００４４】
本発明において、取り付けパーツ３０の内周面、即ち、オルゴールムーブメント嵌入部３１の周面には、オルゴールムーブメント２０Ａと取り付けパーツ３０とのがたつきを防止するがたつき防止用リブ４１が設けられ、または、取り付けパーツ３０の外周面に加飾容器１０Ａと取り付けパーツ３０とのがたつきを防止するがたつき防止用リブ４２が設けられ、好ましくは双方のがたつき防止用リブ４１、４２が設けられる。図３Ａ及び図３Ｂに示すように、本実施例の取り付けパーツ３０は、外周面に加飾容器１０Ａと取り付けパーツ３０とのがたつきを防止するリブ４２ａ、４２ｂ、４２ｃを有すると共に、内周面にオルゴールムーブメント２０Ａと取り付けパーツ３０とのがたつきを防止するリブ４１を有する。
【００４５】
このうち、加飾容器１０Ａと取り付けパーツ３０とのがたつきを防止するリブ４２としては、下部フランジ３４の周面に形成されたリブ４２ａと、上部フランジ３８の周面に形成されたリブ４２ｂと、周壁３３に形成されたリブ４２ｃを有する。このうち、下部フランジ３４の周面のリブ４２ａは、後述するように下部フランジ３４に突出部４３を設ける場合、突出部４３が形成されていない下部フランジ３４に形成することが好ましい。これにより、取り付けパーツ３０を加飾容器１０Ａに取り付けた後に、突出部４３が形成されている側の下部フランジ３４の周面が加飾容器１０Ａの内壁１２に対して若干ずれることが可能となり、後述するように突出部４３を加飾容器１０Ａの貫通孔１１に嵌入させることが容易となり、また、この嵌入に伴う突出部４３への応力を軽減することができる。
【００４６】
一方、上部フランジ３８の周面のリブ４２ｂは、対向する一対の上部フランジ３８に同数ずつ設けることが好ましく、本実施例では各上部フランジ３８に１個ずつリブ４２ｂが形成されている。また、周壁３３のリブ４２ｃも、取り付けパーツ３０の上面視にて上部フランジ３８の両側に同数ずつ設けることが好ましく、本実施例では、上面視にて上部フランジ３８の両側の周壁３３に２個ずつのリブ４２ｃが形成されている。取り付けパーツ３０を加飾容器１０Ａに固定するために各リブにかかる力が均等になるよう、隣り合うリブ同士の間隔を調整することが好ましい。
【００４７】
また、周壁３３に形成されたリブ４２ｃは、取り付けパーツ３０の下面に鉛直に起立する周壁３３の上端から下端にかけてライン状に形成されている。一方、加飾容器１０Ａの内壁１２は、その内径が加飾容器１０Ａの開口部側に比して底部側で小さくなるように湾曲又は傾斜している。したがって、周壁３３に形成されたライン状のリブ４２ｃのうち底部側の部分が加飾容器１０Ａの内壁１２を押圧し、該内壁１２と取り付け用パーツ３０とのがたつきを防止する。このように、リブ４２ｃを周壁３３の上端から下端にかけてライン状に設けることにより、加飾容器１０Ａの内壁１２が湾曲していても容易にがたつきを防止することができ、また、リブ４２ｃを取り付けパーツ３０の下面近傍だけに設ける場合に比して取り付けパーツ３０の成型が容易になるので好ましい。
【００４８】
これらがたつき防止用リブ４２ａ、４２ｂ、４２ｃの突出高さｈ１は、外観及び嵌合調整の点からこれら防止用リブ４２ａ、４２ｂ、４２ｃと内壁１２との重なり代が０．２〜０．５ｍｍとなるよう形成されていることが好ましい。
【００４９】
また、オルゴールムーブメント１０Ａと取り付けパーツの３０とのがたつきを防止するリブ４１としては、取り付けパーツ３０のオルゴールムーブメント嵌入部３１の内周面の、香箱２７の嵌入位置付近に複数のリブ４１が設けられている。これらのリブ４１はオルゴールムーブメント１０Ａのフレーム２５と当接する。なお、リブ４１の形成位置としては、香箱２７がオルゴールムーブメント２０Ａのほぼ下端からほぼ上端までを占めるので、香箱２７にリブ４１が当接するようにリブを形成してもよい。また、リブ４１の突出高さｈ２は、嵌合調整の点からリブ４１とフレーム２５又は香箱２７との重なり代が０．２〜０．５ｍｍとなるよう形成されていることが好ましい。
【００５０】
なお、本発明において、がたつき防止用リブとしては、上述のリブ４１、４２の複数個のすべてを設けることは必ずしも必要ではない。がたつき防止用リブは、加飾容器１０Ａの内部形状やオルゴールムーブメント２０Ａの外部形状等に応じて形成する。
【００５１】
取り付けパーツ３０の下部フランジ３４には、加飾容器１０Ａの貫通孔１１に嵌入する突出部４３が設けられており、嵌入部３１の内周面近傍からは、既製のオルゴールムーブメント２０Ａが有するネジ穴２４に嵌入する突出部４４が設けられている。これらの突出部４３、４４によっても、取り付けパーツ３０とオルゴールムーブメント２０Ａとのがたつきを防止することができる。
【００５２】
さらに、取り付けパーツ３０には、オルゴールムーブメントの圧入用スリット４５が形成されている。圧入用スリット４５は、オルゴールムーブメント２０Ａが周壁３３の下端から上端にかけて形成されている。圧入用スリット４５の形成位置は、周壁３３の対向する位置に設けることが好ましく、周壁の下面が概略矩形である場合に、その短辺の中央部を通るように形成することが取り付けパーツ３０の可撓性を活かせる点で好ましい。
【００５３】
取り付けパーツ３０の形成材料としては、オルゴールムーブメント２０Ａを美しく魅せる点や、取り付けパーツ３０にオルゴールムーブメント２０Ａを嵌入させるときの作業性及びオルゴールムーブメント２０Ａを嵌入させた取り付けパーツ３０を加飾容器１０Ａに取り付けるときの作業性の点から透明な樹脂が好ましく、成型性やオルゴールムーブメント２０Ａを美しく魅せるための透明度の点からＰＥＴ、ＰＣＴ、ＭＳ樹脂（メチルメタクリレート・スチレン共重合樹脂）、アクリル樹脂、ポリカーボネート樹脂等をあげることができる。また、取り付けパーツ３０は、３Ｄプリンターを用いて、又は一体成型などにより作成することができる。
【００５４】
なお、元化粧料容器である加飾容器に組み込む取り付けパーツ３０は、元化粧料容器の再利用を促進する点から、化粧料の製造販売を行う事業者が製造し、化粧用ユーザーに提供してもよい。
【００５５】
（オルゴールムーブメントの加飾容器への取り付け方法）
取り付けパーツ３０を用いてオルゴールムーブメント２０Ａを取り付ける方法としては、まず、図１Ａに示すように、オルゴールムーブメント２０Ａから摘み２３を外した状態で、オルゴールムーブメント２０Ａの巻ネジの軸２１、ストッパー２９を、それぞれ取り付けパーツ３０の軸孔３６、ストッパー用孔３７に合わせ、オルゴールムーブメント２０Ａを取り付けパーツ３０の開口部３２からオルゴールムーブメント嵌入部３１に嵌入させる。そして、巻ネジの軸２１に摘み２３を螺合させる。この嵌入では、がたつき防止用リブ４１と、圧入用スリット４５の作用によりオルゴールムーブメント２０Ａが取り付けパーツ３０に、がたつきなく保持される。
【００５６】
次に、図１Ｂに示すように、オルゴールムーブメント２０Ａを嵌入させた取り付けパーツ３０を加飾容器１０Ａの内部に嵌合させる。このとき取り付けパーツ３０の突出部４３を加飾容器１０Ａの貫通孔１１に挿入する。この嵌合では、上部フランジ３８とそれに形成されたリブ４２ｂ、下部フランジ３４とそれに形成されたリブ４２ａ、周壁３３に形成されたリブ４２ｃの作用により取り付けパーツ３０が加飾容器１０Ａの内壁１２にがたつきなく保持され、図２Ａ及び図２Ｂに示す実施例のオルゴール装置１Ａを得る。
【００５７】
この取り付けパーツ３０を用いるオルゴール装置１Ａの組み立てには、接着剤やネジを用いた固定は不要であり、オルゴール装置１Ａは、元化粧料容器を使用していた一般人自らが簡単な組み込み操作で作成することができる。本発明は、このオルゴール装置１Ａだけでなく、オルゴール装置の組み立てに用いる取り付けパーツ３０や、取り付けパーツ３０を使用してオルゴールムーブメント２０を元化粧料容器に組み込み、元化粧料容器をオルゴール装置とする元化粧料容器の再利用方法を包含する。
【００５８】
＜取り付けパーツ不要の上ネジタイプのオルゴール装置＞
図４は、取り付けパーツを使用しない実施例のオルゴール装置１Ｂの組み立て方法の説明図である。このオルゴール装置１Ｂでは、前述と同様の既製の上ネジタイプのオルゴールムーブメント２０Ａでネジ穴２４を備えたものを使用する。加飾容器１０Ｂとしては、底部１７に貫通孔１１を有する元化粧料容器を使用し、貫通孔１１とオルゴールムーブメント２０Ａのネジ穴２４を合わせ、そこに固定具５０を挿入して上ネジタイプのオルゴールムーブメント２０Ａを固定する。固定具５０としては、木ネジ、割ピン、ボルト・ナットなどを使用することができる。
【００５９】
元化粧料容器の底部の貫通孔１１は、前述したように、化粧料のレフィルの取出孔又は空気孔などとして設けられているものであり、１個でも複数個でもよいが、本実施例では複数個の貫通孔１１が設けられている加飾容器１０Ｂを使用している。
【００６０】
加飾容器１０Ｂの底部の貫通孔１１と、オルゴールムーブメント２０Ａに設けられているネジ穴２４とを用いて加飾容器１０Ｂとオルゴールムーブメント２０Ａを固定する場合に、貫通孔１１とネジ穴２４とを１ヶ所で位置合わせして固定してもよいが、複数箇所で位置合わせできる場合には、その複数箇所で固定具を用いることがオルゴールムーブメントＡの加飾容器１０Ｂへの取り付け状態を安定化させることができるので好ましい。また、オルゴールムーブメント２０Ａのネジ穴２４の位置に合わせて加飾容器１０Ｂの底部にネジ穴を開ける穴加工をしてもよい。この穴加工は加飾容器１０Ｂがもともと備えている貫通孔の位置で行うことが、穴加工が容易となる点で好ましい。
【００６１】
なお、穴加工は、加飾容器として使用する元化粧料容器の所持者である化粧料ユーザーが行ってもよいが、元化粧料容器の再利用を促進させる点から、化粧料の製造販売を行う事業者が化粧料ユーザーから元化粧料容器を預かって行ってもよい。
【００６２】
このオルゴール装置１Ｂには、加飾容器１０Ｂ内でオルゴールムーブメント２０Ａを覆うカバーを設けても良い。カバーは、オルゴールムーブメント２０Ａを覆い、加飾容器１０Ｂの内部に載置できればよく、オルゴールムーブメント２０Ａがカバーに嵌入するものでなくてもよい。
【００６３】
本発明は、このオルゴール装置１Ｂのように、元化粧料容器が底面に有する貫通孔１１とオルゴールムーブメントのネジ穴２４とを合わせ、固定具で固定することによりオルゴール装置を作成する、元化粧料容器の再利用方法を包含する。
【００６４】
＜取り付けパーツ不要の下ネジタイプのオルゴール装置＞
図５は、取り付けパーツを使用することなく、加飾容器にオルゴールムーブメントを組み込む場合に使用する下ネジタイプのオルゴールムーブメント２０Ｂの斜視図及び側面図であり、図６はこのオルゴールムーブメント２０Ｂの巻ネジの軸２１の摘みナットとして使用する、筒型ナット５１の側面図及び上面図である。この筒型ナット５１は、その軸部分５２の一端にネジ軸Ａに垂直な平板部５３を有し、平板部５３には指かけ穴５４があいている。図７は、元化粧料容器である加飾容器１０Ｃと、オルゴールムーブメント２０Ｂと筒型ナット５１からオルゴール装置１Ｃを組み立てる方法の説明図である。
【００６５】
図７に示すように、このオルゴール装置１Ｃを組み立てる際には、加飾容器１０Ｃの底部１７の貫通孔１１ａに、オルゴールムーブメント２０Ｂの巻ネジの軸２１が通るように該オルゴールムーブメント２０Ｂを加飾容器１０Ｃの内部に入れ、加飾容器１０Ｃの下側から筒型ナット５１の軸部分５２を螺合させる。
【００６６】
また、オルゴールムーブメント２０Ｂが備えているネジ穴２４に木ネジ５５を通し、木ネジ５５を加飾容器１０Ｃの底部の貫通孔１１ｂにねじ込んでオルゴールムーブメント２０Ｂと加飾容器１０Ｃとを固定する。これにより、オルゴール装置１Ｃの組み立て後にオルゴールムーブメント２０Ｂを作動させたときに、オルゴールムーブメント２０Ｂが加飾容器１０Ｃ内で回転することを防止する回り止めが可能となる。
【００６７】
ここで、加飾容器１０Ｃとする元化粧料容器が備えている貫通孔１１ａの径が筒型ナット５１の軸部分５２の径に比して大きいことが好ましい。小さい場合には、元化粧料容器が備えている貫通孔１１ａを拡径する穴加工を行い、筒型ナット５１の軸部分５２が貫通孔１１ａを通るようにする。この穴加工は、既存の穴を拡径するだけであるため、加飾容器に新たに同様の径の穴を開ける場合に比して容易に行うことができる。
【００６８】
また、オルゴールムーブメント２０Ｂが備えているネジ穴２４を用いて木ネジ５５を加飾容器１０Ｃの底部にねじ込むにあたり、ネジ穴２４に対応する加飾容器１０Ｂの底部の位置にネジ穴をあける穴加工を行っても良い。これによりオルゴールムーブメント２０Ｂと加飾容器１０Ｃとを容易に木ネジで固定することができる。本発明は、このように元化粧料容器の貫通孔の位置に穴加工を施した加飾容器を包含する。
【００６９】
なお、これらの穴加工も前述と同様に、元化粧料容器の所持者である化粧料ユーザーが行ってもよいが、元化粧料容器の再利用を促進させる点から、化粧料の製造販売を行う事業者が行ってもよい。
【００７０】
図８Ａは、こうして得られるオルゴール装置１Ｃで蓋が閉じた状態のものを下面側から見た斜視図であり、図８Ｂは、このオルゴール装置１Ｃの蓋が開いた状態の側面図である。オルゴール装置１Ｃでは、加飾容器１０Ｃの下面と筒型ナット５１の平板部５３との間に間隙５６があいている。また、図７に示したように、オルゴールムーブメント２０Ｂは、木ネジ５５によって、加飾容器１０Ｃと固定されている。したがって、平板部５３の指かけ穴５４に指をかけて平板部５３を回すことにより香箱２７内のゼンマイを巻き上げ、平板部５３を飾り棚、机等の任意の平板面に載置し、蓋１６を開けるとゼンマイの巻きが戻り、曲が奏でられると共に、平板部５３が加飾容器１０Ｃの台座となって加飾容器１０Ｃがネジ軸Ａを中心にして回転し、優雅な雰囲気を醸し出す。
【００７１】
このように下ネジタイプのオルゴールムーブメント２０Ｂを使用するにあたり、加飾容器１０Ｃを回転させるには、加飾容器１０Ｃの下面と、筒型ナット５１の平板部５３との間に間隙５６をあけることが必要であるが、筒型ナット５１に代えて、摘みナット５７と巻ネジの軸２１とを、それらの間に適宜スペーサを介在させて螺合してもよい。
【００７２】
なお、図９に示すオルゴール装置１Ｄのように、加飾容器１０Ｄが脚部１３を有し、加飾容器１０Ｄの底面１４と加飾容器を載置する平板面Ｐとの間にサムノブ等の摘みナット５７が入る間隙があく場合には、巻ネジの軸２１に直接的に摘みナット５７を螺合させればよい。この場合、ゼンマイの巻が戻るときに加飾容器１０Ｄは回転しない。
【００７３】
本発明は、上述したオルゴール装置１Ｃ、１Ｄのように、加飾容器１０Ｃ、１０Ｄとして底部に貫通孔１１、１１ａ、１１ｂを有する元化粧料容器を使用し、また、オルゴールムーブメントとして底面から巻ネジの軸部２１が突出しているものを使用し、その巻ネジの軸部２１を元化粧料容器の底部の貫通孔１１、１１ａに挿入し、摘みナットを螺合させてオルゴール装置とする元化粧料容器の再利用方法を包含する。
本発明のオルゴール装置は、上述した種々の態様を適宜組み合わせることもできる。
【符号の説明】
【００７４】
１Ａ、１Ｂ、１Ｃ、１Ｄ  オルゴール装置
１０Ａ、１０Ｂ、１０Ｃ、１０Ｄ  加飾容器
１１、１１ａ、１１ｂ  貫通孔
１２  加飾容器の内壁
１３  脚部
１４  底面
１５  容器本体
１６  蓋
１７  底部
２０Ａ、２０Ｂ  オルゴールムーブメント
２１  巻ネジの軸
２２  振動弁
２３  摘み
２４  ネジ穴
２５  フレーム
２６  シリンダー
２７  香箱
２８  ガバナ
２９  ストッパー
３０  取り付けパーツ
３１  オルゴールムーブメント嵌入部
３２  開口部
３３  周壁
３４  下部フランジ
３５  上面
３６  軸孔
３７  ストッパー孔
３８  上部フランジ
３９  上部幅狭部
４０  間隙
４１  オルゴールムーブメントと取り付けパーツとのがたつきを防止するリブ、がたつき防止用リブ
４２、４２ａ、４２ｂ、４２ｃ  加飾容器と取り付けパーツとのがたつきを防止するリブ、がたつき防止用リブ
４３  突出部
４４  突出部
４５  圧入用スリット
５０  固定具
５１  筒型ナット
５２  軸部分
５３  平板部
５４  指かけ穴
５５  木ネジ
５６  間隙
５７  摘みナット
Ａ  ネジ軸
Ｐ  平板面
ｈ１、ｈ２  リブの突出高さ
【図１Ａ】
2020183987.tif 000003
【図１Ｂ】
2020183987.tif 000004
【図２Ａ】
2020183987.tif 000005
【図２Ｂ】
2020183987.tif 000006
【図３Ａ】
2020183987.tif 000007
【図３Ｂ】
2020183987.tif 000008
【図４】
2020183987.tif 000009
【図５】
2020183987.tif 000010
【図６】
2020183987.tif 000011
【図７】
2020183987.tif 000012
【図８Ａ】
2020183987.tif 000013
【図８Ｂ】
2020183987.tif 000014
【図９】
2020183987.tif 000015